(57)【要約】【課題】プレゼンテーション用の複数の画面を合成し、互いに同期させて更新する。【解決手段】記憶装置４０上のグラフィック描画領域１１中に、複数の単位画面表示領域１６と、操作画面１８を割り付けるグラフィック描画制御手段２２と、単位画面表示領域１６に描画すべき画像データ４２を含むデータファイル４１を指定するファイル指定手段２３と、画像データ４２のサイズを指定する画面サイズ指定手段２４と、描画位置を指定する画面レイアウト指定手段２５と、画像データ４２の描画手順を指定する描画手順指定手段２６と、描画手順に従って指定された画像データ４２を、互いに同期して更新されるように制御する表示制御手段２７と、表示出力データ領域１４中の領域に描画された画像データを、画像表示装置に向けて出力する表示データ出力手段２８を備える。【選択図】図１
2009145926.tif 000002
【特許請求の範囲】
【請求項１】
記憶装置上のグラフィック描画領域中に、表示出力データ領域と操作制御領域とを設定し、前記表示出力データ領域には、複数の単位画面表示領域を割り付け、前記操作制御領域には、前記単位画面表示領域に描画される画像を制御するための操作画面を割り付けて描画する、グラフィック描画制御手段と、
前記単位画面表示領域に描画すべき画像データを含むデータファイルを指定するファイル指定手段と、
前記単位画面表示領域のサイズを指定する画面サイズ指定手段と、
前記複数の単位画面表示領域の描画位置を指定する画面レイアウト指定手段と、
前記データファイルに含まれた複数の画像データの描画手順を指定する描画手順指定手段と、
所定の制御命令を受け付けて、前記描画手順指定手段が指定した前記描画手順に従って、前記グラフィック描画領域中の前記各単位画面表示領域に描画される各画像データが、前記描画手順に従って互いに同期して更新されるように、前記グラフィック描画制御手段を制御する表示制御手段と、
前記表示出力データ領域中の複数の単位画面表示領域に描画された画像データを、画像表示装置に向けて出力する、表示データ出力手段を備えたことを特徴とする画像操作装置。
【請求項２】
請求項１に記載の画像操作装置において、
前記表示制御手段は、それぞれ異なるデータファイルを構成する複数の画像データを、指定された順に、同期させて更新するように、前記グラフィック描画制御手段を制御することを特徴とする画像操作装置。
【請求項３】
請求項１に記載の画像操作装置において、
前記表示制御手段は、同一のデータファイルを構成する複数の画像データを指定された順に描画するとき、一方の単位画面表示領域に直前に描画された画像データを、隣接する他方の単位画面表示領域に描画して、互いに同期させて更新するように、前記グラフィック描画制御手段を制御することを特徴とする画像操作装置。
【請求項４】
請求項２または３に記載の画像操作装置において、
当該画像操作装置を起動させるプログラムが起動ざれた後であって、前記グラフィック描画制御手段が単位画面表示領域に描画処理をしていないときに、前記表示データ出力手段が、一定のマスク画面を継続的に出力することを特徴とする画像操作装置。
【請求項５】
請求項1乃至４に記載の画像操作装置において
前記複数の単位画面表示領域が互いに隙間なく隣接し、それぞれの単位画面表示領域に描画されるべき画像データが指定されているとき、グラフィック描画制御手段が、各画像データをそれぞれ対応する単位画面表示領域に描画する状態と、一方の画像データを、複数の単位画面表示領域にまたがって描画する状態とを選択する選択手段を備えたことを特徴とする画像操作装置。
【請求項６】
コンピュータを、
記憶装置上のグラフィック描画領域中に、表示出力データ領域と操作制御領域とを設定し、前記表示出力データ領域には、複数の単位画面表示領域を割り付け、前記操作制御領域には、前記単位画面表示領域に描画される画像を制御するための操作画面を割り付けて描画する、グラフィック描画制御手段と、
前記単位画面表示領域に描画すべき画像データを含むデータファイルを指定するファイル指定手段と、
前記単位画面表示領域のサイズを指定する画面サイズ指定手段と、
前記複数の単位画面表示領域の描画位置を指定する画面レイアウト指定手段と、
前記データファイルに含まれた複数の画像データの描画手順を指定する描画手順指定手段と、
所定の制御命令を受け付けて、前記描画手順指定手段が指定した前記描画手順に従って、前記グラフィック描画領域中の前記各単位画面表示領域に描画される各画像データが、前記描画手順に従って互いに同期して更新されるように、前記グラフィック描画制御手段を制御する表示制御手段と、
前記表示出力データ領域中の複数の単位画面表示領域に描画された画像データを、画像表示装置に向けて出力する、表示データ出力手段、
として機能させる画像操作プログラム。
【請求項７】
コンピュータを、
記憶装置上のグラフィック描画領域中に、表示出力データ領域と操作制御領域とを設定し、前記表示出力データ領域には、複数の単位画面表示領域を割り付け、前記操作制御領域には、前記単位画面表示領域に描画される画像を制御するための操作画面を割り付けて描画する、グラフィック描画制御手段と、
前記単位画面表示領域に描画すべき画像データを含むデータファイルを指定するファイル指定手段と、
前記単位画面表示領域のサイズを指定する画面サイズ指定手段と、
前記複数の単位画面表示領域の描画位置を指定する画面レイアウト指定手段と、
前記データファイルに含まれた複数の画像データの描画手順を指定する描画手順指定手段と、
所定の制御命令を受け付けて、前記描画手順指定手段が指定した前記描画手順に従って、前記グラフィック描画領域中の前記各単位画面表示領域に描画される各画像データが、前記描画手順に従って互いに同期して更新されるように、前記グラフィック描画制御手段を制御する表示制御手段と、
前記表示出力データ領域中の複数の単位画面表示領域に描画された画像データを、画像表示装置に向けて出力する、表示データ出力手段、
として機能させる画像操作プログラムを記録したコンピュータで読み取り可能な記録媒体。
【請求項８】
グラフィック描画制御手段が、記憶装置上のグラフィック描画領域中に、表示出力データ領域と操作制御領域とを設定し、前記表示出力データ領域には、複数の単位画面表示領域を割り付け、前記操作制御領域には、前記単位画面表示領域に描画される画像を制御するための操作画面を割り付けて描画するステップと、
ファイル指定手段が、前記単位画面表示領域に描画すべき画像データを含むデータファイルを指定するステップと、
画面サイズ指定手段が、前記単位画面表示領域のサイズを指定するステップと、
画面レイアウト指定手段が、前記複数の単位画面表示領域の描画位置を指定するステップと、
描画手順指定手段が、前記データファイルに含まれた複数の画像データの描画手順を指定するステップと、
表示制御手段が、所定の制御命令を受け付けて、前記描画手順指定手段が指定した前記描画手順に従って、前記グラフィック描画領域中の前記各単位画面表示領域に描画される各画像データが、前記描画手順に従って互いに同期して更新されるように、前記グラフィック描画制御手段を制御するステップと、
表示データ出力手段が、前記表示出力データ領域中の複数の単位画面表示領域に描画された画像データを、画像表示装置に向けて出力するステップと、
を含む画像操作方法。
【発明の詳細な説明】
【技術分野】
【０００１】
本発明は、複数の画面を合成して、任意の順に組み合わせて表示するための画像操作装置と画像操作プログラムと記録媒体と画像操作方法に関する。
【背景技術】
【０００２】
コンピュータに２台以上のディスプレイを接続して、あたかも１台のディスプレイで表示しているように大画面の画像を制御する技術が知られている。また、複数のディスプレイの画像を連携して表示制御する技術も知られている。この技術は、街頭でのニュースや広告を表示するために広く利用されている。この画面制御のためのインタフェースも開発されている（特許文献１参照）（特許文献２参照）。
【特許文献１】特開２００４−７８８１４号
【特許文献１】特開２００４−８６５８６号
【発明の開示】
【発明が解決しようとする課題】
【０００３】
複数の画面を組み合わせて同時に使用すると、プレゼンテーションの効果を高めることができる。しかしながら、高度なプレゼンテーション方法の要求があっても、既存の装置では、そのような操作は困難かあるいは複雑で操作性が悪い。プレゼンテーションの発表者以外に、画面の切り替えを操作する補助者が必要になるのは実用的でない。上記の課題を解決するために、本発明は、複数の画面を合成した高度で複雑なプレゼンテーション用の表示データを、機能的に操作することを可能にする。本発明は、このための画像操作装置と画像操作プログラムと記録媒体と画像操作方法を提供することを目的とする。
【課題を解決するための手段】
【０００４】
以下の構成はそれぞれ上記の課題を解決するための手段である。
〈構成１〉  記憶装置上のグラフィック描画領域中に、表示出力データ領域と操作制御領域とを設定し、上記表示出力データ領域には、複数の単位画面表示領域を割り付け、上記操作制御領域には、上記単位画面表示領域に描画される画像を制御するための操作画面を割り付けて描画する、グラフィック描画制御手段と、上記単位画面表示領域に描画すべき画像データを含むデータファイルを指定するファイル指定手段と、上記単位画面表示領域のサイズを指定する画面サイズ指定手段と、上記複数の単位画面表示領域の描画位置を指定する画面レイアウト指定手段と、上記データファイルに含まれた複数の画像データの描画手順を指定する描画手順指定手段と、所定の制御命令を受け付けて、上記描画手順指定手段が指定した上記描画手順に従って、上記グラフィック描画領域中の上記各単位画面表示領域に描画される各画像データが、上記描画手順に従って互いに同期して更新されるように、上記グラフィック描画制御手段を制御する表示制御手段と、上記表示出力データ領域中の複数の単位画面表示領域に描画された画像データを、画像表示装置に向けて出力する、表示データ出力手段を備えたことを特徴とする画像操作装置。
【０００５】
複数の画像データを複数の単位画面表示領域に描画して制御するので、任意の組み合わせで任意の順序で表示されるように合成した画像を出力できる。改ページキーの押し下げ等の制御命令を受け付けると、指定された手順で、各画像データが互いに同期してグラフィック描画領域に描画され、画像表示装置に向けて出力され、プレゼンテーション効果を高めることができる。
【０００６】
〈構成２〉  構成１に記載の画像操作装置において、上記表示制御手段は、それぞれ異なるデータファイルを構成する複数の画像データを、指定された順に、同期させて更新するように、上記グラフィック描画制御手段を制御することを特徴とする画像操作装置。
【０００７】
例えば、２個の画像データが、それぞれ左右２個の単位画面表示領域に描画される。そして、改ページキーの押し下げ等の制御命令を受け付けると、両方の画像データが同時に次の画像データに更新される。２個の画像データはそれぞれ別々のデータファイルに属し、ページの切り替えが連動する。従って、複数のデータファイルを比較しながら説明する用途に適する。同時切り替えで同期させてもよいし、一方が数回切り替えられる間に他方を１回切り替えるように同期させてもよい。
【０００８】
〈構成３〉  構成１に記載の画像操作装置において、上記表示制御手段は、同一のデータファイルを構成する複数の画像データを指定された順に描画するとき、一方の単位画面表示領域に直前に描画された画像データを、隣接する他方の単位画面表示領域に描画して、互いに同期させて更新するように、上記グラフィック描画制御手段を制御することを特徴とする画像操作装置。
【０００９】
例えば、２個とか３個の単位画面表示領域を並べて、１画面ずつシフトさせて順番に画像データを更新すると、一方から他方へ画像データがスクロールされるように表示できる。
【００１０】
〈構成４〉  構成２または３に記載の画像操作装置において、プログラムの起動後であって、上記グラフィック描画制御手段が単位画面表示領域に描画処理をしていないときに、上記表示データ出力手段が、一定のマスク画面を継続的に出力することを特徴とする画像操作装置。
【００１１】
プレゼンテーションの準備作業時や設定の切り替え等の際に、操作画面等がスクリーンに表示されてしまうことがある。これを防ぐために、プログラムの起動後であって、前記グラフィック描画制御手段が、単位画面表示領域に描画処理をしていないときに、表示データ出力手段から一定の模様や色のマスク画面を出力することにした。
【００１２】
〈構成５〉  互いに隙間なく隣接した単位画面表示領域が存在し、それぞれの単位画面表示領域に描画されるべき画像データが指定されているとき、グラフィック描画制御手段が、各画像データをそれぞれ対応する単位画面表示領域に描画する状態と、一方の画像データを、複数の単位画面表示領域にまたがって描画する状態とを選択する選択手段を備えたことを特徴とする画像操作装置。
【００１３】
例えば、２個の単位画面表示領域を並べて、１枚の画像データを描画できる。そして、選択が切り替えられると、両方の単位画面表示領域にそれぞれ別々の画像データが描画される。複雑な内容のデータを含むデータファイルを表示するときは、この機能が便利である。
【００１４】
〈構成６〉  コンピュータを、記憶装置上のグラフィック描画領域中に、表示出力データ領域と操作制御領域とを設定し、上記表示出力データ領域には、複数の単位画面表示領域を割り付け、上記操作制御領域には、上記単位画面表示領域に描画される画像を制御するための操作画面を割り付けて描画する、グラフィック描画制御手段と、上記単位画面表示領域に描画すべき画像データを含むデータファイルを指定するファイル指定手段と、上記単位画面表示領域のサイズを指定する画面サイズ指定手段と、上記複数の単位画面表示領域の描画位置を指定する画面レイアウト指定手段と、上記データファイルに含まれた複数の画像データの描画手順を指定する描画手順指定手段と、所定の制御命令を受け付けて、上記描画手順指定手段が指定した上記描画手順に従って、上記グラフィック描画領域中の上記各単位画面表示領域に描画される各画像データが、上記描画手順に従って互いに同期して更新されるように、上記グラフィック描画制御手段を制御する表示制御手段と、上記表示出力データ領域中の複数の単位画面表示領域に描画された画像データを、画像表示装置に向けて出力する、表示データ出力手段、として機能させる画像操作プログラム。
【００１５】
〈構成７〉  コンピュータを、記憶装置上のグラフィック描画領域中に、表示出力データ領域と操作制御領域とを設定し、上記表示出力データ領域には、複数の単位画面表示領域を割り付け、上記操作制御領域には、上記単位画面表示領域に描画される画像を制御するための操作画面を割り付けて描画する、グラフィック描画制御手段と、上記単位画面表示領域に描画すべき画像データを含むデータファイルを指定するファイル指定手段と、上記単位画面表示領域のサイズを指定する画面サイズ指定手段と、上記複数の単位画面表示領域の描画位置を指定する画面レイアウト指定手段と、上記データファイルに含まれた複数の画像データの描画手順を指定する描画手順指定手段と、所定の制御命令を受け付けて、上記描画手順指定手段が指定した上記描画手順に従って、上記グラフィック描画領域中の上記各単位画面表示領域に描画される各画像データが、上記描画手順に従って互いに同期して更新されるように、上記グラフィック描画制御手段を制御する表示制御手段と、上記表示出力データ領域中の複数の単位画面表示領域に描画された画像データを、画像表示装置に向けて出力する、表示データ出力手段、として機能させる画像操作プログラムを記録したコンピュータで読み取り可能な記録媒体。
【００１６】
〈構成８〉  グラフィック描画制御手段が、記憶装置上のグラフィック描画領域中に、表示出力データ領域と操作制御領域とを設定し、上記表示出力データ領域には、複数の単位画面表示領域を割り付け、上記操作制御領域には、上記単位画面表示領域に描画される画像を制御するための操作画面を割り付けて描画するステップと、ファイル指定手段が、上記単位画面表示領域に描画すべき画像データを含むデータファイルを指定するステップと、画面サイズ指定手段が、上記単位画面表示領域のサイズを指定するステップと、画面レイアウト指定手段が、上記複数の単位画面表示領域の描画位置を指定するステップと、描画手順指定手段が、上記データファイルに含まれた複数の画像データの描画手順を指定するステップと、表示制御手段が、所定の制御命令を受け付けて、上記描画手順指定手段が指定した上記描画手順に従って、上記グラフィック描画領域中の上記各単位画面表示領域に描画される各画像データが、上記描画手順に従って互いに同期して更新されるように、上記グラフィック描画制御手段を制御するステップと、表示データ出力手段が、上記表示出力データ領域中の複数の単位画面表示領域に描画された画像データを、画像表示装置に向けて出力するステップと、を含む画像操作方法。
【発明を実施するための最良の形態】
【００１７】
以下の実施例では、始めに、複数の画面を合成して、プレゼンテーション用の表示データを編集し出力して操作することができる画像操作装置を説明する。さらに、この装置を使用した表示データのプレゼンテーション方法を説明する。続いて、表示データを編集して生成する手順とプロジェクトのデータ構造を説明する。その後、画像編集処理とプレゼンテーション制御用のコンピュータプログラムの動作説明をする。以下、本発明の実施の形態を順に説明する。
【実施例１】
【００１８】
図１は実施例１の画像操作装置の説明図である。
この図を用いて、実施例１の画像操作装置１０の概略動作を説明する。この画像操作装置１０は、汎用のコンピュータにインストールされたコンピュータプログラムにより実現することができる。この装置は、画像データを組み合わせて一定の順に表示するように表示データ３１を編集する。編集後の表示データ３１は、例えば、図のように１台のプロジェクタ５０に転送して図示しないスクリーンに画面５３を投影することができる。２台以上のプロジェクタを並べて、横長、縦長、その他複雑な画面をスクリーンに投影することもできる。しかも、この実施例の装置によれば、複数の画像データを自由なレイアウトで並べ、あるいは重ねて、連携して表示させるといった、複雑なプレゼンテーションができる。
【００１９】
今日普及している一般のコンピュータは、モニタディスプレイ等に表示する画像を処理するために、記憶装置上にグラフィック描画領域１１を設けている。なお、この実施例でいうグラフィック描画領域１１とは、仮想的な画像データ割り付け領域のことをいう。例えば、縦Ｍピクセル横Ｎピクセルのグラフィック描画領域１１に、縦ａピクセル横ｂピクセルの画像データを割り付ける。この画像データを縦ａピクセル横ｂピクセルの解像度の１台のプロジェクタに転送すると、該当する画像データがそのままの形で表示できる。また、例えば、縦ａピクセル横２ｂピクセルの横長の画像データを縦ａピクセル横ｂピクセルの解像度の２台のプロジェクタ５０ａ、５０ｂに転送して、横長の画像を投影できる。グラフィック描画領域１１は、仮想的な画像データ割り付け領域であるから、ビデオメモリ等の記憶装置上に物理的に割り付けられたメモリ空間とは必ずしも一致しない。
【００２０】
このグラフィック描画領域１１に、操作制御領域１２と表示出力データ領域１４とを設定する。表示出力データ領域１４には、複数の単位画面表示領域１６ａ、１６ｂを割り付ける。単位画面表示領域１６ａ、１６ｂには、それぞれデータファイル４１から読み出された任意の画像データ４２ａ、４２ｂが描画される。単位画面表示領域１６ａ、１６ｂは、プレゼンテーション用の表示データ３１を描画するために使用される。操作制御領域１２には、単位画面表示領域１６ａ、１６ｂに描画される画像データ４２ａ、４２ｂを制御するための操作画面１８を描画する。操作制御領域１２は、プレゼンテーション用の表示データ３１を編集するとき、モニタディスプレイ（図示していない）に表示させて編集者が利用するために使用される。グラフィック描画制御手段２２は、グラフィック描画領域１１に対する描画制御を行う。グラフィック描画制御手段２２は、例えば、既知のグラフィックコントローラの機能を有する。
【００２１】
１台のモニタディスプレイを使用して画像編集処理をする場合には、始めに操作制御領域１２に描画した操作画面１８をモニタディスプレイに表示する。編集後の表示データ３１を確認したいときは、表示出力データ領域１４に描画した単位画面表示領域１６ａや単位画面表示領域１６ｂをモニタディスプレイに直接表示することもできる。また、編集処理中は、単位画面表示領域１６ａ、１６ｂを操作画面１８中にプレビューできるようにした。プレビュー画面３６は、単位画面表示領域１６ａ、１６ｂを縮小表示したものである。
【００２２】
プレゼンテーションの際には、単位画面表示領域１６ａ、１６ｂに描画した画像データ４２ａ、４２ｂにより構成される表示データ３１がプロジェクタ５０に転送される。表示データ出力手段２８は、表示データ３１をグラフィック描画領域１１から読み出して、プロジェクタ５０に転送する機能を持つ。表示データ出力手段２８は、表示データ３１を、出力先のプロジェクタの解像度に合わせて転送するインタフェースの機能を有する。
【００２３】
操作画面１８上では、ファイル指定手段２３と画面サイズ指定手段２４と画面レイアウト指定手段２５と描画手順指定手段２６とを操作して、画像編集処理を行うことができる。さらに、この装置を、表示データ３１を自由に制御するプレゼンテーション用のツールとして使用することができる。ファイル指定手段２３は、処理対象となるデータファイル４１を記憶装置から読み出して、表示すべき画像データを指定する機能を持つ。データファイル４１は任意の数の画像データを含む。データファイル４１はプレゼンテーション用に準備されたファイルである。指定された画像データが単位画面表示領域１６ａ、１６ｂに描画される。画面サイズ指定手段２４は、単位画面表示領域１６ａ、１６ｂのサイズを指定する機能を持つ。画面レイアウト指定手段２５は、複数の単位画面表示領域１６ａ、１６ｂの描画位置を指定する機能を持つ。
【００２４】
グラフィック描画領域１１には、描画制御のために予め位置座標が設定されている。単位画面表示領域のサイズも描画位置も、例えば、この位置座標を用いて指定する。各単位画面表示領域の相対的なサイズ比率と相対的な位置関係とを、この位置座標を用いて自動的に指定できる。手入力で位置座標を指定してもよいが、標準的な画面設定がプリセットされていることが好ましい。表示出力データ領域１４に描画された画像がそのままプロジェクタ５０によりスクリーンに投影される。ファイル指定手段２３と画面サイズ指定手段２４と画面レイアウト指定手段２５とにより、投影画面を自由に設計するとよい。
【００２５】
描画手順指定手段２６は、各単位画面表示領域毎に、指定された画像データを、指定された順に所定のタイミングで表示するように、制御用の描画手順データ４５を生成する機能を持つ。一般のプレゼンテーションでは、例えば、改ページキー等の所定の制御キーを操作すると、表示画面を順番に切り替えることができる。この描画手順指定手段２６も、同様の操作ができるように、描画手順データ４５を生成する機能を持つ。なお、この実施例では、制御キー３０として、改ページキー３２のほかに、２個の補助キー３３，３４を使用する。プレビュー制御手段３５は、指定された単位画面表示領域１６ａ、１６ｂを複写し、縮小したプレビュー画面を、前記操作画面中に描画する。
【００２６】
プレゼンテーションが開始されると、例えば、画面の切り替えのつど、改ページキー３２が操作される。１回の改ページキー操作が受け付けられると、表示制御手段２７が描画手順データ４５を読み取る。表示制御手段２７は、描画手順データ４５が示す順にデータファイル４１に含まれた画像データを、画像サイズデータ４３や描画位置データ４４とともに、グラフィック描画制御手段２２に転送する。グラフィック描画制御手段２２は、指定された画像データを指定されたサイズで、表示出力データ領域１４中の指定された位置に描画する。後で詳細を説明するが、改ページキー３２を１回操作すると、図１の画面５３に示すように、例えば、左右の２画面が同期して更新される。
【００２７】
プレゼンテーション実行時には、グラフィック描画制御手段２２による描画が終了すると、表示データ出力手段２８にその旨が通知される。表示データ出力手段２８は描画された表示データ３１をプロジェクタ５０に転送する。複数のプロジェクタにより例えば横長の画面を投影するときには、表示データ出力手段２８は、各プロジェクタのために、表示データを分配する。操作画面１８は、プレゼンテーションの際の、画面操作にも利用できる。
【００２８】
図２は、画像操作装置１０の全体像を示す具体的なブロック図である。
図のコンピュータ５１は、ディスプレイ２と本体制御部３とキーボード４とマウス５を備える。本体制御部３の内部には、演算処理装置２０と記憶装置４０が設けられている。コンピュータ５１は、コンピュータプログラムを実行することにより、演算処理装置２０中に図示した演算処理手段として機能する。コンピュータ５１は、これらのコンピュータプログラムの実行中に、記憶装置４０を使用して、予め記憶された必要なデータを読み取る。またあるいは、新たなデータを記憶装置４０に書き込んで記憶させる。
【００２９】
図のように、コンピュータ５１の演算処理装置２０は、グラフィック描画制御手段２２、ファイル指定手段２３、画面サイズ指定手段２４、画面レイアウト指定手段２５、描画手順指定手段２６、表示制御手段２７、表示データ出力手段２８、プレビュー制御手段３５、選択手段３９等として機能する。また、記憶装置４０には、データファイル４１、画面サイズデータ４３、描画位置データ４４、描画手順データ４５等が記憶されている。さらに、この記憶装置４０には、コンピュータプログラムの実行過程で、グラフィック描画領域１１に、操作画面１８、単位画面表示領域１６ａ、１６ｂが描画されて記憶される。また、制御キー３０（図１）に割り付けられた機能を記憶しておくために、キー割付データ４６が記憶される。さらに、操作画面１８中に表示されるプレビュー画面３６が記憶される。以上の各手段の機能や各データの内容は、図１で説明したとおりである。
【００３０】
図の画像操作装置１０は、プロジェクタやディスプレイに転送するための表示データを編集する画像編集装置として利用することができる。さらに、プロジェクタ等と接続して、表示データを転送し、プレゼンテーション用の画像操作装置としても利用できる。また、既に説明した画像操作装置用のプログラムをインストールすれば、任意のコンピュータに上記の構成の表示データを編集させ、プロジェクタを用いたプレゼンテーションを実行させることができる。
【００３１】
図３は、コンピュータ５１のハードウエアブロック図である。
ここで、上記のコンピュータの構造を説明する。上記のコンピュータは汎用のもので、特殊な構成は必要ない。コンピュータ５１(図２）の内部バス１１０には、ＣＰＵ（中央処理装置）１１１と、ＲＯＭ（リードオンリメモリ）１１２と、ＲＡＭ（ランダムアクセスメモリ）１１３と、ＨＤＤ（ハードディスク）１１４と、入出力インタフェース１１５とが接続されている。入出力インタフェース１１５には、ディスプレイ２とキーボード４とマウス５とプロジェクタ５０とが接続されている。プロジェクタ５０が接続されないときは、画像編集装置として動作する。また、プロジェクタ５０が接続されたときは、プレゼンテーション用の画像操作装置として動作する。プロジェクタは１台でもよいが、図の破線のように複数台を接続して大画面を構成すると、本発明の装置は有効に機能する。ディスプレイ２は、編集処理時とプレゼンテーション実行時に、利用者が表示のための画像データを選択したり操作するときのモニタディスプレイとして機能する。
【００３２】
図２に示した記憶装置４０は、ＲＯＭ１１２やＲＡＭ１１３やＨＤＤ１１４により構成される。図２に示した演算処理装置２０は、ＣＰＵ１１１、ＲＯＭ１１２、ＲＡＭ１１３等により構成される。各種の情報は主としてＨＤＤ１１４に記憶されて保存される。ＣＰＵ１１１が実行するコンピュータプログラムは、ＲＯＭ１１２に記憶され、あるいはＲＡＭ１１３に適時ロードされる。ＲＡＭ１１３の一部にグラフィックメモリが割り付けられる。また、キーボード４のファンクションキー等に、制御キー３０が割り付けられる。例えば、改ページキー３２は、矢印キー等に割り付けられる。補助キー３３や３４は別の任意のファンクションキー等に割り付けられる。
【００３３】
図４は表示画面の具体例を示す説明図である。
この図を使用して、プレゼンテーションの手法の実施例を説明する。図は、上記の表示データ出力手段２８（図１）からプロジェクタに転送されてスクリーンに投影された各種の投影画像例を示す。図の（ａ）に示す投影画像５３−１は、それぞれ１枚分の同サイズの画像データを隙間なく隣接させて表示させたものである。「１」「２」と数字が表示された左右の各画像はそれぞれ別個のもので構わない。それぞれ独自にページを切り替えることができる。例えば、左側に参照図面を表示しながら、右側に説明用のコメントを表示することができる。
【００３４】
図の（ｂ）に示す投影画像５３−２は、３枚の画像を横に並べて表示したものである。左端の画像のサイズはやや大きくなっている。各画像は、表示出力データ領域１４上で自由にそのサイズを指定することができる。この例のように、やや変形した投影画像も制御できる。このように、任意に画像を変形させて得た投影画像５３−２は、例えば、広い壁面への街頭広告等に適する。１台でなく、任意の数のプロジェクタを組み合わせて投影することができる。即ち、プレゼンテーションといっても、講演会や各種発表会の投影画面だけでなく、広告宣伝やアミューズメント用等、様々な分野で利用できる。プロジェクタやディスプレイやその他の様々な画像表示装置が利用できる。
【００３５】
図４の（ｃ）に示す投影画像５３−３は、１枚の横長の画像である。例えば、縦横に多数の数値データを配列した表計算データ等の表示に適する。図１において、単位画面表示領域１６ａと１６ｂは、表示出力データ領域１４上で隙間なく隣接している。グラフィック描画制御手段２２（図１）は、その全体を使用して、ひとつのアプリケーションのデータファイルに含まれた画像データを横長に描画する。これをそのまま一台のプロジェクタに転送してスクリーンに投影することができる。また、あるいは、表示データ出力手段２８は、例えば、２枚の画像データの境界部分を一部重ね合わせるように、表示データを分割して２台のプロジェクタに分配して、スクリーンに投影させることができる。これにより、つなぎ目の目立たない横長の大画面のスクリーンに表示データの投影ができる。
【００３６】
図の（ｄ）に示す投影画像５３−４は、３枚の画像を横に並べて描画したものの上に、２枚の画像を並べて上書きしたものである。例えば、３枚の画像を表示してその説明をし、その次の説明で、２枚の小さい画像を上書きする。グラフィック描画制御手段２２は、始めに３枚分の画像データを表示出力データ領域１４に並べて描画する。その後、改ページ等の指示が入力すると、３枚分の画像データを描画した領域上の指定された位置に、２つの単位画面表示領域を設定する。そこに２枚分の小さい画像データを上書きする。このように、縦横に自由に広がったり重なりあった非常に複雑な画面の編集と投影が可能である。こうした描画手順は、編集処理時に描画手順データ４５に設定する。
【００３７】
図の（ｅ）に示す投影画像５３−５は、１枚の横長画像の上に、１枚の画像を重ねて表示したものである。１枚の横長画像は、例えば、テンプレート画像である。例えば、社名の入ったロゴ等をテンプレート画像にする。テンプレート画像は、プレゼンテーション中に常時表示される。画面の切り換え時には毎回、テンプレート画像を表示出力データ領域１４に描画し、その上に本来のプレゼンテーション用の画像データを上書き描画する。描画したデータは分割して、２台のプロジェクタに分配する。従って、利用者は、任意のプレゼンテーション用データファイルを、自動的に自社名の入ったロゴを含む画像とともに表示できる。以上のように、様々な手法で、プレゼンテーション効果を高めることができる。なお、上記の単位画面表示領域に描画できる画像データには、静止画、動画、アプリケーションウインドウ等の任意のデータを使用することができる。
【００３８】
図５は、プレゼンテーション時の画面遷移の実施例説明図である。
図の（ａ）に示す最初の投影画像５３−６は、２枚の画像を横に並べて表示したものである。この状態で、例えば、改ページキー３２（図１）が操作されると、次の投影画像５３−７が表示される。さらに、続けて改ページキー３２が操作されると、次の投影画像５３−８が表示される。これらの投影画像の関係をみると、ちょうど、一連の画像が、順に左側にスクロールされた状態になる。図の（ｂ）に示す投影画像５３−９は３枚の画像を横に並べて表示したものである。改ページキー３２が操作されると、次の投影画像５３−１０が表示される。これも、一連の画像が、順に左側にスクロールされた状態になる。
【００３９】
このとき、グラフィック描画制御手段２２は、左の画面も右の画面も同一のデータファイルを構成する画像データを指定された順に表示する。ただし、一方の単位画面表示領域に直前に描画された画像データを、隣接する他方の単位画面表示領域に描画して、同期させて更新するように制御する。２画面の場合も３画面の場合も同様に制御する。表示制御手段２７がこのように、グラフィック描画制御手段２２を制御すると、一方から他方へ画像データがスクロールされるように表示できる。このとき、各画面の画像データは同期して一斉に更新される。例えば、描画手順データ４５に、所定のタイミングで、この例に示すような同期制御命令を含めておく。これにより、街頭するタイミングで、改ページキー３２にその機能が割り付けられる。
【００４０】
図５の（ｃ）に示す投影画像５３−１１は、２枚の画像を横に並べて表示したものである。改ページ等の指示が入力されると、投影画像５３−１２、５３−１３が順に表示される。この例では、左右の画像が同期し連動して切り替えられる。一方を固定したまま他方を順に切り替えたり、両方を同時に順に切り替えたりできる。このとき、グラフィック描画制御手段２２は、左右それぞれ異なるデータファイルを構成する画像データを、指定された順に同期させて更新する。表示制御手段２７がこのように、グラフィック描画制御手段２２を制御する。
【００４１】
データファイル４１（図１）は、予めプレゼンテーションの際に順番に表示されるように編集された画像データを含む。左右の画面について、それぞれ別々のデータファイルを表示するように設定し、いずれも個別にページめくりをする場合には、例えば、補助キー３３，３４を使用する。即ち、補助キー３３を左側の画像データの更新制御用に割り付ける。補助キー３４を右側の画像データの更新制御用に割り付ける。補助キー３３を押し下げるたびに、左側の画面が更新される。補助キー３４を押し下げるたびに、右側の画面が更新される。ここで、改ページキー３２が操作されると、補助キー３３と３４を同時に押し下げたのと同様のイベントを発生させる。従って、左右のページが同期して更新される。図５の（ｃ）は同期制御、（ｄ）の投影画像５３−１４、５３−１５、５３−１６は個別制御の例を示している。
【００４２】
複数のデータファイルを比較しながら説明する用途に適する。同時切り替えで同期させてもよいし、一方が数回切り替えられる間に他方を１回切り替えるように同期させてもよい。個別改ページ用の２個の制御キーで、必要に応じて、一方の画面で前後の画像データを読み返すことができる。以上のように、複数のプロジェクタを使用して、２枚以上の画像を関連付けて操作することにより、効果的なプレゼンテーションが可能になる。
【００４３】
図５の（ｅ）は、画面全体が一方の画像データの表示に使用されたり、それぞれ別々の画像データを並べたりする例を示す。まず、互いに隙間なく隣接した単位画面表示領域１６ａ、１６ｂが存在するように設定する。それぞれの単位画面表示領域に描画されるべき画像データを予め指定する。グラフィック描画制御手段２２は、対応する画像データをそれぞれの単位画面表示領域に描画する。しかし、例えば、一方の画像データを画面全体を使用して表示したいときは、選択手段３９を動作させる。選択手段３９は、所定の機能キーの操作により起動するとよい。選択手段３９が動作すると、例えば、投影画像５３−１７に示すように動作する。一方の画像データが、複数の単位画面表示領域にまたがって描画される。再度、選択手段３９が動作すると、投影画像５３−１７に示すように動作する。通常どおり、左右の各画像データをそれぞれ対応する単位画面表示領域に描画される。
【実施例２】
【００４４】
図６〜図１０は操作画面例の説明図である。
この図を用いて編集処理の実施例を説明する。図６に示した操作画面１８は、プレゼンテーション編集開始時の画面である。図２に示したコンピュータ５１のディスプレイ２に表示される。最初に、プロジェクト指定画面６１を使用して、新規プロジェクト名を登録する。プロジェクトとは、このプログラムで生成されたプレゼンテーション用のプロジェクトデータファイルをひとまとめにしたものである。このプロジェクトデータファイルを持参すれば、上述した編集制御用のプログラムがインストールされたコンピュータを使用して、どこでも同じプレゼンテーションができる。
【００４５】
プロジェクトデータファイル名が決まると、次に、何個の画面を使用してプレゼンテーションを行うかを決める。２個と指定すると、図のようにレイアウト画面６２に２個分の画面用の横長の枠が表示される。１個の画面の画像データを１台のプロジェクタで表示するのを標準に設定しておくとよい。この例では２台のプロジェクタを使用する。しかし、２個の画面を１台のプロジェクタで表示しても構わない。３台以上のプロジェクタで表示しても構わない。
【００４６】
ここで、画面サイズや描画位置を指定する。例えば、図示しないポップアップウインドウにより画面の頂点の位置座標を入力すると、描画位置と画面サイズを同時に指定できる。また、マウスにより枠を自由に変形し移動するようにしても構わない。デフォルトで２画面構成にしておくと、この指定作業は省略できる。左右の画面について別々に、描画位置や画面サイズを指定することもできるし、２個分の画面全体の描画位置や画面サイズを一括指定することもできる。
【００４７】
次に、各画面用の枠に表示するデータファイルのアイコン６５と６６とを順にレイアウト画面６２にドラッグする。こうして、データファイルを指定する。１つのデータファイルを指定するたびに、サムネイル画面６３に、データファイルに含まれた全ての画像データのサムネイルが表示される。これで、２つのデータファイルをプレゼンテーションに使用する準備が完了する。その結果は、例えば、プロジェクト名「ＰＪ０１」のプロジェクトデータファイルに保存をする。このプロジェクトデータファイルを開いて、例えば、左側の画像を指定し、改ページキーを押すと、左側のデータファイルのページが順に切り替わる。右側のデータファイルは最初のページを表示したままになる。データファイルの指定を変更しながら改ページキーを押して、プレゼンテーションを続けるとよい。
【００４８】
図７から図１０は、データファイルを順番に指定していく過程を示す。まず、図７において、レイアウト画面６２にデータファイルのアイコン６５をドラッグすると、その中央にデータファイルの第１ページのプレビュー画像が表示され、その下のサムネイル画面６３に、データファイルに含まれた全ての画像データのサムネイルが表示される。例えば、表計算データであれば、図８に示すように、横長の画面全体にそのページの内容がプレビュー表示される。例えば、プレゼンテーションの始めに、表計算データの内容を横長の画面で紹介するときには、図８の表示状態を描画手順データに登録しておくとよい。
【００４９】
次に、図９に示すように、別のデータファイルのアイコン６６をレイアウト画面６２にドラッグする。左右の画面が同サイズで横に並んでいるという状態がデフォルトで設定されているものとする。従って、左右２画面均等表示に自動的に制御が切り替わる。このとき、サムネイル画面６３に、新たなデータファイルに含まれた全ての画像データのサムネイルが表示される。マウスで、左右いずれかの画面を選択してクリックするとサムネイル表示も該当するデータファイルのものに切り替わる。なお、図５で説明したような左右の画面の同期制御をここで設定することもできる。
【００５０】
図１０は、テンプレートを使用した画面の設定例を示す説明図である。
図において、横長の画面全体に表示されるテンプレートは、例えば、データファイルとは別に環境設定等で選択をしておくとよい。テンプレートの画像データは、該当するサイズのイメージデータでもよいし、画像の全体構造を示すコードデータであってもよい。プレゼンテーション用の画面は、テンプレートの所定位置に配置されるように自動設定するとよい。図の例では、１画面だけとした。２画面以上でも構わない。画面表示位置は自由に設定して構わない。また、画面の形状も自由に設定して構わない。
【実施例３】
【００５１】
図１１は描画位置データと画面サイズデータの構造例説明図である。
ここで、本発明の装置により制御されるデータの構造例を説明する。図の「データ」は、データファイルに含まれた画像データのページを示す。ここで、各ページの識別コードと、描画位置と画面サイズを同時に示す画面の頂点の位置座標とが、一組ずつ記憶される。なお、全てのページについて描画位置と画面サイズが共通であれば、描画位置データと画面サイズデータとは一組だけ、固定値で記憶されていればよい。
【００５２】
図１２は、描画手順データの構造例説明図である。
図に示すように、例えば、テンプレートと左画面と右画面とで、それぞれ表示すべきデータファイル名が指定される。そして、それぞれその表示順に従って、ページの識別コードがリストされる。テンプレートのページは固定である。グラフィック描画制御手段２２は、このような描画手順データ４５を１組ずつ読み取って、表示出力データ領域１４の単位画面表示領域１６ａと単位画面表示領域１６ｂに画像データを描画する。これが、プレゼンテーションに使用するためのプロジェクトデータである。
【００５３】
図１３は、同期制御の具体例説明図である。
この図のとおりの制御データにより、画面更新制御が行われる。図の（ａ）に示すデータ「ｐｊ０１」ファイルは、上記のプロジェクトに含められた一つのファイルである。データファイルＡとデータファイルＢとを左右の画面に表示させるためのデータである。図の例では、データファイルＡは４ページの画像データを含む。データファイルＢは１ページの画像データを含む。この場合、データファイルＢのページ１を参照しながら、データファイルＡの各ページを順番に表示していくように動作する。（ｂ）に示すデータ「ｐｊ０２」ファイルは、データファイルＣとデータファイルＤとを左右の画面に同期させて表示させるためのデータである。図の例では、データファイルＣもＢも４ページの画像データを含む。この場合、データファイルＣとＢの各ページが、同時に順番に更新されるように動作する。
【００５４】
（ｃ）に示すデータ「ｐｊ０３」ファイルは、データファイルＥをスクロールするように左右の画面に同期させて表示させるためのデータである。図の例では、データファイルＥは４ページの画像データを含む。この場合、左画面に最初にデータファイルＥの第１ページが表示される。右画面には始めに何も表示されない。次のタイミングで、左画面に第２ページが表示され、右画面に第１ページが表示される。その後、左画面は、第３ページ、第４ページの順に画面が更新される。右画面は、第２ページ、第３ページの順に画面が更新される。これで、データファイルＥの各ページが左から右にスクロールするように見える。
【００５５】
（ｄ）に示すデータ「ｐｊ０４」ファイルは、データファイルＦとデータファイルＧとを左右の画面に同期させて表示させるためのデータである。図の例では、データファイルＦは４ページ、データファイルＧは３ページの画像データを含む。この場合、左右の画面全体を使用して、最初にデータファイルＦの第１ページが表示される。続いて順に、左画面にデータファイルＦの第２、３、４ページが表示され、右画面にデータファイルＧの１，２，３ページが表示される。例えば、上記のデータ「ｐｊ０１」〜「ｐｊ０４」を一つのプロジェクトデータとして保存する。プロジェクトデータには、使用する全てのコンテンツ（画像データ）とその表示手順を示す制御データが含まれる。静止画、動画、ウェブページ、フラッシュ等の任意のコンテンツを含めることができる。これにより、多様な画面操作を含んだプレゼンテーションができる。
【実施例４】
【００５６】
図１４は、プログラムの編集処理動作例フローチャートである。
既に、編集処理や画面制御の具体例を説明した。ここでは、そのとき動作するコンピュータプログラムの動作例を簡単に説明する。まず、図のステップＳ１１では、図６の画面で説明したように、プロジェクト指定画面６１を使用してプロジェクトの新規登録受付をする。ステップＳ１２では、２画面か３画面かといった画面構成の指定受付をする。ステップＳ１３では、画面サイズの指定受付をする。ステップＳ１４では、描画位置の指定受付をする。これらは、頂点の位置座標入力等で指定する。デフォルトのデータを使用して自動的に設定をするときは、ステップＳ１２〜１４は操作を省略できる。
【００５７】
ステップＳ１５では、データファイルの指定受付をする。ステップＳ１６では、画面の選択を受付ける。図６で説明したように、データファイルのアイコンをレイアウト画面６２（図６）にドラッグアンドドロップする。これで、データファイルが指定され、ドロップした位置の画面が選択される。ステップＳ１７では、該当するデータファイルに含まれた全ての画像データのサムネイル表示をする。ステップＳ１８では、データファイルの選択受付が終了したかどうかという判断をする。この判断の結果がイエスのときはステップＳ１９の処理に移行し、ノーのときはステップＳ１５の処理に移行する。全てのデータファイルが選択されるまで、ステップＳ１５からステップＳ１８の処理を繰り返す。
【００５８】
ステップＳ１９では、既に説明した同期制御等の設定を受け付ける。これは、図示しないポップアップメニューで、「同時めくり」とか、「前後ページ表示」というルールを設定することで実現する。ステップＳ２０では、レイアウト画面６２（図６）に指定された画像データのプレビュー表示をする。画面構成と表示すべき全ての画像データの指定が終了すると、ステップＳ２１の処理に進む。ステップＳ２１では、スライドショーを実行する。このときは、例えば、モニタディスプレイに、単位画面表示領域に描画された画像と操作画面１８とが表示される。これにより、デスクトップでプレゼンテーションのシミュレーションを実行できる。ステップＳ２２では、データファイルの修正や追加の有無を判断する。修正等があるときは、ステップＳ１５に戻る。ステップＳ１５からステップＳ２２を繰り返すことにより、データファイルを修正したり、表示順を変更したりして再編集をすることができる。ステップＳ２２でノーのときは、ステップＳ２３に進む。ステップＳ２３では、完成したプロジェクトを記憶装置に保存する。以上の処理により、プレゼンテーションの準備が完了する。
【００５９】
図１５は、プレゼンテーション動作例フローチャートである。
ステップＳ３１では、上述した画像編集プログラムを起動する。ステップＳ３２では、マスク画面の転送をする。マスク画面というのは、プレゼンテーションの開始前に無用な画面がスクリーンに表示されないように、最初にプロジェクタ等に転送しておく表示データである。マスク画面は、例えば、スクリーンを暗転させるための簡単な信号で構わない。また、単色の画面でもよい。表示データ出力手段２８（図１）が、自動的に生成できるような簡単な画面が好ましい。
【００６０】
一般に、プレゼンテーション開始時には、コンピュータのファンクションキーを操作して、マルチディスプレイモードに切り換える。このとき、デフォルトでは、モニタディスプレイに表示された画面がプロジェクタ等の画像表示装置に出力されてしまう。スライドショーが開始されるまで、無用な画像をスクリーンに投影することになる。そこで、この実施例では、表示データ出力手段２８が、一定のマスク画面を出力するようにした。この動作は、画像再生プログラムを起動してから、グラフィック描画制御手段２２（図１）が単位画面表示領域に描画処理を開始するまでの間継続して実行される。画像再生プログラムを起動してからマルチディスプレイモードに切り換えれば、無用な画像の出力を阻止できる。
【００６１】
また、グラフィック描画制御手段２２（図１）が単位画面表示領域に描画処理を終了してから、画像再生プログラムが動作を終了するまでの間も、同様にしてマスク画面を出力するとよい。マルチディスプレイモードを終了させてから、画像再生プログラムを終了させれば、無用な画像の出力を阻止できる。また、図１に示す実施例では、モニタディスプレイに表示させる画像を描画する操作制御領域と、表示出力データを描画する表示出力データ領域とを明確に区別して制御している。従って、例えば、画像再生プログラムの起動直後に、グラフィック描画制御手段２２が自動的に所定の画像データを読み出して、表示出力データ領域にマスク画面を描画することができる。表示データ出力手段２８がそれをプロジェクタ等に出力すればよい。プレゼンテーションの終了後も同様にするとよい。また、図１０を用いて説明したテンプレートを使用するプレゼンテーションでは、テンプレート用の画面をマスク画面に設定するとよい。
【００６２】
ステップＳ３３では、プロジェクトの指定受付をする。操作画面１８上で指定する。ステップＳ３４では、プロジェクトに含まれた描画手順データ４５（図１）を自動的に読み取って、画面構成の設定をする。ステップＳ３５では、画面サイズの設定をする。ステップＳ３６では、描画位置の設定をする。ステップＳ３７では、プレゼンテーションを開始する。ステップＳ３８では、表示制御手段２７が描画手順データ４５の読み取りをする。
【００６３】
ステップＳ３９では、グラフィック描画制御手段２２がグラフィック描画領域１１に１画面分の画像データの描画をする。ステップＳ４０では、表示制御手段２７が、別の画像データの描画が必要かどうかという判断をする。こうして、複数の単位画面表示領域全てに、指定された画像データを描画する。この判断の結果がイエスのときはステップＳ３８の処理に移行し、ノーのときはステップＳ４１の処理に移行する。ステップＳ４１では、操作画面１８にプレビュー画面が表示される。ステップＳ４２では表示データ出力手段２８がプロジェクタ等に表示データを転送する。ステップＳ４３では、改ページの指示が受付けられたかどうかという判断をする。この判断の結果がイエスのときはステップＳ３８の処理に移行し、ノーのときはプレゼンテーションを終了する。図１３で説明したような制御も、改ページキーの操作のみで実行できる。以上の処理によって、生成した表示データを利用したプレゼンテーションができる。
【００６４】
なお、上記の演算処理装置で実行されるコンピュータプログラムは、機能ブロックで図示した単位でモジュール化されてもよいし、複数の機能ブロックを組み合わせて一体化されてもよい。また、上記のコンピュータプログラムは、既存のアプリケーションプログラムに組み込んで使用してもよい。本発明を実現するためのコンピュータプログラムは、例えばＣＤ−ＲＯＭのようなコンピュータで読み取り可能な記録媒体に記録して、任意の情報処理装置にインストールして利用することができる。
【図面の簡単な説明】
【００６５】
【図１】実施例１の画像操作装置の説明図。
【図２】画像操作装置の全体像を示す具体的なブロック図。
【図３】コンピュータのハードウエアブロック図。
【図４】表示画面の具体例を示す説明図。
【図５】表示画面の具体例を示す説明図。
【図６】操作画面例の説明図。
【図７】操作画面例の説明図。
【図８】操作画面例の説明図。
【図９】操作画面例の説明図。
【図１０】テンプレートを使用した画面の設定例を示す説明図。
【図１１】描画位置データと画面サイズデータの構造例説明図。
【図１２】描画手順データの構造例説明図。
【図１３】同期制御の具体例説明図。
【図１４】プログラムの編集処理動作例フローチャート。
【図１５】プログラムのプレゼンテーション動作例フローチャート。
【符号の説明】
【００６６】
１０  画像操作装置、１１  グラフィック描画領域、１２  操作制御領域、１４  表示出力データ領域、１６ａ、１６ｂ  単位画面表示領域、１８  操作画面、２０  演算処理装置、２２  グラフィック描画制御手段、２３  ファイル指定手段、２４  画面サイズ指定手段、２５  画面レイアウト指定手段、２６  描画手順指定手段、２７  表示制御手段、２８  表示データ出力手段、３０  制御キー、３１  表示データ、３２  改ページキー、３３  補助キー、３４  補助キー、３５  プレビュー制御手段、３６  プレビュー画面、３９  選択手段、４０  記憶装置、４１  データファイル、４２ａ、４２ｂ  画像データ、４３  画面サイズデータ、４４  描画位置データ、４５  描画手順データ、４６  キー割付データ、５０  プロジェクタ、５１  コンピュータ、５２  モバイル装置、５３−１〜５３−１８  投影画像、６１  プロジェクト指定画面、６２  レイアウト画面、６３  サムネイル画面
【図１】
2009145926.tif 000003
【図２】
2009145926.tif 000004
【図３】
2009145926.tif 000005
【図４】
2009145926.tif 000006
【図５】
2009145926.tif 000007
【図６】
2009145926.tif 000008
【図７】
2009145926.tif 000009
【図８】
2009145926.tif 000010
【図９】
2009145926.tif 000011
【図１０】
2009145926.tif 000012
【図１１】
2009145926.tif 000013
【図１２】
2009145926.tif 000014
【図１３】
2009145926.tif 000015
【図１４】
2009145926.tif 000016
【図１５】
2009145926.tif 000017